【事件の表示】
　平成１１年特許願第２３３５３６号「インクジェットプリントシステムにおける印刷検証装置」拒絶査定に対する審判事件［平成１３年　３月　６日出願公開、特開２００１−　５８４４６］について、次のとおり審決する。
【結　論】
　本件審判の請求は、成り立たない。
【理　由】
第１　手続の経緯
　本願は、平成１１年８月２０日の出願であって、平成１３年４月６日付けで拒絶の査定がされたため、これを不服として同年６月７日付けで審判請求がされ、同年７月６日付けで明細書についての特許法１７条の２第１項３号の規定に基づく手続補正（以下「本件補正」といい、その手続補正書を「本件補正書」という。）がされたものである。
　
第２　補正の却下の決定
１．補正の却下の決定の結論
　平成１３年７月６日付けの手続補正を却下する。
２．理由１（新規事項追加）
　本件補正書の【請求項１】には、「連続紙の幅方向に一連のページ幅情報を印字するべくページ幅にわたって配置した第１及び第２のインクジェットプリントヘッドと、・・・連続紙の一方の面にＮ色の印刷を施すべく連続紙の長さ方向に規則的に間隔をおいて配置した第Ｎ１〜第Ｎｎのインクジェットプリントユニットと、連続紙の他方の面にＭ色の印刷を施すべく連続紙の長さ方向に規則的に間隔をおいて配置した第Ｍ１〜第Ｍｎのインクジェットプリントユニットとを含むインクジェットプリント手段」との記載がある（同文記載が段落【０００７】にもある。）。
　この記載によると、一方の面にはＮ色の印刷がされるように複数のインクジェットプリントユニットが配置されること、他方の面にはＭ色の印刷がされるように複数のインクジェットプリントユニットが配置されること、及び各インクジェットプリントユニットは２つのインクジェットプリントヘッドを含むことが規定されていることは認められるが、一方の面用のインクジェットプリントユニットがＮ個であること、他方の面用のインクジェットプリントユニットがＭ個であること、及び１つのインクジェットプリントユニットに配される２つのインクジェットプリントヘッドが同色記録用インクジェットプリントヘッドであることは規定されていない。したがって、本件補正後の請求項１に係る発明にあっては、一方又は他方の面用のインクジェットプリントユニットの個数がＮ又はＭよりも多い（そのようにする理由としては、最も多く使用する色用のインクジェットプリントユニットは、１つが使用不可能になっても記録に支障がないようにスペアを設けておくことなどが考えられる。）ものも、少ない（任意のインクジェットプリントユニットのインクジェットプリントヘッドを別色記録用とすることなどが考えられる。）ものも包含することになる。なお、「第Ｎ１〜第Ｎｎ」又は「第Ｍ１〜第Ｍｎ」の記載では、一方又は他方の面用のインクジェットプリントユニットの個数が何ら規定されていないことはいうまでもないばかりか、これらが「第１〜第Ｎ」又は「第１〜第Ｍ」の誤記とも認めることができない。その理由は、願書に最初に添付した明細書（以下、添付の図面を含めて「当初明細書」という。）の【請求項６】及び段落【００１２】、並びに平成１２年７月２４日付け手続補正書の【請求項２】及び段落【０００８】には、「連続紙の一方の面にＮ色の印刷を施す第１〜第Ｎのインクジェットプリントユニット及び前記連続紙の他方の面にＭ色の印刷を施す第１〜第Ｍのインクジェットプリントユニット」との記載があるところ、本件補正書ではこれと明確に異なる表現をわざわざしているからである。
　そこで、一方又は他方の面用のインクジェットプリントユニットの個数と記録色数との関係（以下「関係１」という。）、及び１つのインクジェットプリントユニットに配される２つのインクジェットプリントヘッドと記録色との関係（以下「関係２」という。）について、当初明細書にどのように記載されていたか検討する。
　特許請求の範囲においては、前記のとおりの記載があり、これ以外に関係１，２についての記載はない。
　発明の詳細な説明においては、「前記インクジェットプリント装置において、前記第１のプリント処理部１〜第５のプリント処理部５の構成について詳細に説明する。まず、図１〜図４に示す実施例において、前記インクジェットプリント装置は、１０ヘッド構成のものであって、前記連続紙ＣＰの表面側を黒色、青色、赤色の３色でプリント処理し、前記連続紙ＣＰの裏面側を黒色、青色の２色でプリント処理するように構成してある。尚、上記構成は、一実施例であって、色数および色の種類は何等限定されるものではない。」（段落【００３１】）、「１０台のインクジェットプリントヘッドＰＨ１〜ＰＨ１０は、２台ずつが一対となっていて、プリントユニットＰＵ１〜ＰＵ５を形成し」（段落【００３２】）、「各インクジェットプリントヘッドＰＨ１〜ＰＨ１０は、規則的に間隔の開いた一列のインクジェット列を、４．２５インチ長さで、１インチ当たり２４０ドットを形成するプリントヘッドからなっている。」（段落【００３４】）、「第１の撮像検査手段５２は、前記連続紙表面側から、連続紙の幅方向の全域を撮像可能なように該連続紙の幅方向に沿って配置した例えば４台の光学装置群５２Ａ、５２Ｂ、５２Ｃおよび５２Ｄによって構成されている。」（段落【００４２】）、及び「第１の撮像検査手段５２・・・における各光学装置は、・・・視野（画角）は、横６４ｍｍ、縦４８ｍｍ（分解能：横１００μｍ、縦１００μｍ）であり」（段落【００４５】）との各記載があり、【図１】及び【図４】には、１つのインクジェットプリントユニット内の２つのインクジェットプリントヘッドが、連続紙の略中央部から左側又は右側の略半分ずつを印刷可能なように配置されたものが図示されている。
　これらの記載及び図示によれば、実施例における各インクジェットプリントヘッドによる印刷可能範囲は４．２５インチ（≒１０８ｍｍ）であり、その倍の８．５インチ（≒２１６ｍｍ）が、各インクジェットプリントユニットによる記録幅であり、この全域を視野が横６４ｍｍの光学装置で撮像検査するため、光学装置が４台配置されていると認められる。また、１つのインクジェットプリントユニット内の２つのインクジェットプリントヘッドは記録幅を半分ずつ分担することで同色を記録するものであり、異なるインクジェットプリントユニットは異なる色を記録するものとして用いられていることが明らかである。したがって、当初明細書には、前記の関係については、一方又は他方の面用のインクジェットプリントユニットの個数と記録色数は同数であり、１つのインクジェットプリントユニットに配される２つのインクジェットプリントヘッドは同色を記録することのみ記載されていたというべきである。
　そうすると、本件補正後の【請求項１】は関係１，２について、当初明細書に記載した以外のことを記載したことになるから、本件補正は「願書に最初に添付した明細書又は図面・・・に記載した事項の範囲内においてしなければならない。」との特許法１７条の２第３項の規定に違反する。
　
２．理由２（独立特許要件）
（１）本件補正の目的
　本件補正後の【請求項１】の記載は、
「【請求項１】　インクジェットプリンタに対して相対的に移動する連続紙の表裏両面に、表裏対応させてそれぞれ所望のレイアウトパターンに従った多色印刷を行うインクジェットプリントシステムであって、
前記連続紙の幅方向に一連のページ幅情報を印字するべくページ幅にわたって配置した第１及び第２のインクジェットプリントヘッドと、タコエンコーダを備えたプラテンロールと、連続紙上のキューマークを検知してキューマーク検知信号を出力するキューマーク検知手段とを含み、連続紙の一方の面にＮ色の印刷を施すべく連続紙の長さ方向に規則的に間隔をおいて配置した第Ｎ１〜第Ｎｎのインクジェットプリントユニットと、連続紙の他方の面にＭ色の印刷を施すべく連続紙の長さ方向に規則的に間隔をおいて配置した第Ｍ１〜第Ｍｎのインクジェットプリントユニットとを含むインクジェットプリント手段と、各インクジェットプリントユニットにおける各プリントヘッドにプリント信号を供給するデーターシステムとからなり、インクジェットプリントユニット毎に、前記タコエンコーダによって、連続紙の動きを監視し、該連続紙の動きに協働する速度信号をデーターシステムに出力し、前記キューマーク検知手段の出力に応じて各インクジェットプリントユニットのプリント開始を制御して、情報量に応じた表裏両面印刷を超高速処理可能になし、
前記連続紙の表面に予め設けた空白部を撮像して連続紙表面の印刷汚れを検出し、印刷汚れ不良信号を外部装置に出力する表面汚れ検出機能と、前記連続紙の表面の印刷部を撮像して連続紙表面の印刷抜けを検出し、印刷抜け不良信号を外部装置に出力する表面抜け検出機能とを含む第１の撮像検査手段と、
前記連続紙の裏面に予め設けた空白部を撮像して連続紙裏面の印刷汚れを検出し、印刷汚れ不良信号を外部装置に出力する裏面汚れ検出機能と、前記連続紙の裏面の印刷部を撮像して連続紙裏面の印刷抜けを検出し、印刷抜け不良信号を外部装置に出力する裏面抜け検出機能とを含む第２の撮像検査手段と、
前記連続紙の表面側および裏面側から該連続紙の表面側および裏面側の印刷ズレを撮像して検査するべく、前記連続紙の表面に予め設けた表印字識別子を撮像して撮像信号を出力する第１の光学装置と、前記連続紙の裏面に予め設けた裏印字識別子を撮像して撮像信号を出力する第２の光学装置とを含む第３の撮像検査手段とを備え、
第１の撮像検査手段が、前記連続紙表面側から、連続紙の幅方向の全域を撮像可能なように該連続紙の幅方向に沿って配置した複数台の光学装置群からなり、第２の撮像検査手段が、前記連続紙裏面側から、連続紙の幅方向の全域を撮像可能なように該連続紙の幅方向に沿って配置した複数台の光学装置群からなり、前記複数台の光学装置群からの信号群を統括中央処理装置を介して信号処理部において前記キューマーク検知手段およびエンコーダからの信号とによって信号処理してなることを特徴とするインクジェットプリントシステムにおける印刷検証装置。」である。
　他方、本件補正前の【請求項１】の記載は、
「【請求項１】　インクジェットプリンタに対して相対的に移動する連続紙の表裏両面に、表裏対応させてそれぞれ所望のレイアウトパターンに従った多色印刷を行い得るインクジェットプリントシステムにあって、
前記連続紙の表面に予め設けた空白部を撮像して連続紙表面の印刷汚れを検出し、印刷汚れ不良信号を外部装置に出力する表面汚れ検出機能と、前記連続紙の表面の印刷部を撮像して連続紙表面の印刷抜けを検出し、印刷抜け不良信号を外部装置に出力する表面抜け検出機能とを含む第１の撮像検査手段と、
前記連続紙の裏面に予め設けた空白部を撮像して連続紙裏面の印刷汚れを検出し、印刷汚れ不良信号を外部装置に出力する裏面汚れ検出機能と、前記連続紙の裏面の印刷部を撮像して連続紙裏面の印刷抜けを検出し、印刷抜け不良信号を外部装置に出力する裏面抜け検出機能とを含む第２の撮像検査手段と、
前記連続紙の表面側および裏面側から該連続紙の表面側および裏面側の印刷ズレを撮像して検査するべく、前記連続紙の表面に予め設けた表印字識別子を撮像して撮像信号を出力する第１の光学装置と、前記連続紙の裏面に予め設けた裏印字識別子を撮像して撮像信号を出力する第２の光学装置とを含む第３の撮像検査手段とからなり、
第１の撮像検査手段が、前記連続紙表面側から、連続紙の幅方向の全域を撮像可能なように該連続紙の幅方向に沿って配置した複数台の光学装置群からなり、第２の撮像検査手段が、前記連続紙裏面側から、連続紙の幅方向の全域を撮像可能なように該連続紙の幅方向に沿って配置した複数台の光学装置群からなることを特徴とするインクジェットプリントシステムにおける印刷検証装置。」である。
　本件補正前後の【請求項１】の記載を比較すると、補正後の【請求項１】が補正前のそれに対して、「前記連続紙の幅方向に一連のページ幅情報を印字するべくページ幅にわたって配置した第１及び第２のインクジェットプリントヘッドと、タコエンコーダを備えたプラテンロールと、連続紙上のキューマークを検知してキューマーク検知信号を出力するキューマーク検知手段とを含み、連続紙の一方の面にＮ色の印刷を施すべく連続紙の長さ方向に規則的に間隔をおいて配置した第Ｎ１〜第Ｎｎのインクジェットプリントユニットと、連続紙の他方の面にＭ色の印刷を施すべく連続紙の長さ方向に規則的に間隔をおいて配置した第Ｍ１〜第Ｍｎのインクジェットプリントユニットとを含むインクジェットプリント手段と、各インクジェットプリントユニットにおける各プリントヘッドにプリント信号を供給するデーターシステムとからなり、インクジェットプリントユニット毎に、前記タコエンコーダによって、連続紙の動きを監視し、該連続紙の動きに協働する速度信号をデーターシステムに出力し、前記キューマーク検知手段の出力に応じて各インクジェットプリントユニットのプリント開始を制御して、情報量に応じた表裏両面印刷を超高速処理可能になし、」及び「前記複数台の光学装置群からの信号群を統括中央処理装置を介して信号処理部において前記キューマーク検知手段およびエンコーダからの信号とによって信号処理してなる」（審決注．「前記複数台の光学装置群」とは、第１又は第２のの撮像検査手段における「複数台の光学装置群」である。）との限定を付加するものであるから、特許請求の範囲の減縮を目的とする手続補正であり、特許法１７条の２第４項２号の規定に適合するものと認める。
　そこで、本件補正後の【請求項１】に記載されている事項により特定される発明（以下「補正発明」という。）が、特許出願の際独立して特許を受けることができるかどうか検討する。以下では、「【請求項１】に記載されている事項」又は「発明を特定するための事項」との意味で「構成」という用語を用いることがある。なお、本件補正後の【請求項１】の記載は、「・・・インクジェットプリントシステムであって、・・・インクジェットプリントシステムにおける印刷検証装置。」という構文になっており、これを字句通り理解すると、補正発明が「インクジェットプリントシステム」の発明であるのか「インクジェットプリントシステムにおける印刷検証装置」であるのか理解しがたいこととなるため、「インクジェットプリントシステムであって、」とあるのは「インクジェットプリントシステムにあって、」の誤記と解する。仮にこれが誤記でないとすると、補正後【請求項１】の記載が特許法３６条６項２号に規定する要件を満たさない（したがって独立して特許を受けることができない。）ばかりか、同法１７条の２第４項１号〜４号のいずれにも適合しない手続補正となり、それらの理由で既に却下されることとなる。
　
（２）引用刊行物の記載事項
　原査定の拒絶の理由に引用された特開平９−２４０１２０号公報（以下「引用例１」という。）には、以下のア〜ナの記載がある。
　ア．「所定の印刷単位ごとの印刷データを印刷媒体の表裏両面に対して順次印刷する印刷手段と、前記印刷媒体の表裏両面に印刷されたイメージを各々読み込み、当該読み込んだ各イメージに基づいて該表裏に印刷された印刷データが当該印刷媒体の表裏に印刷されるデータとして適切か否かを検査する印刷結果検査手段と、前記検査の結果、印刷が適切に行われていないと判定された印刷物に対して、当該印刷物が不良印刷物であることを示すマークを印刷する検査結果印刷手段とを有するプリンタ装置。」（【請求項１】）
　イ．「高速プリンタ装置を有効に使用する適用対象としては、印刷量が大量でありかつそれぞれに異なる番号や内容を印刷しなければならないような書類の印刷がある。たとえば、請求書などの顧客ごとの発送書類や、各々異なる番号の付された株券や各種金券などである。」（段落【０００４】）
 ウ．「【発明が解決しようとする課題】ところで、そのようなプリンタ装置で、特に両面印刷を行うような装置においては、１枚の印刷用紙の表裏に印刷された内容が適切でない、すなわち、表裏の内容がずれてしまうという不良印刷が発生する場合がある。・・・さらに連続紙であれば表裏のページの境界がずれる、などの不良印刷が発生する。」（段落【０００５】）
　エ．「プリンタ部１０においては、ロール紙供給部１４から順次供給される連続紙である印刷用紙８００に対して、まず表印刷部１１においてその１つの面に所望のデータの印刷を行う。次に、その印刷用紙８００の表裏を逆にして裏印刷部１２においてその逆側の面に所望のデータの印刷を行う。そして、両面印刷検査部１３において印刷用紙８００の各ページの表裏に印刷された印刷イメージを読み取り、１枚の印刷物の表裏に印刷されるべき内容として適切か否かを検査する。また、印刷が行われ、検査の終了した印刷用紙はロール紙巻き取り部１５に巻き取られる。」（段落【００１４】）
　オ．「プリンタ部１０は、図１に示したように表印刷部１１、裏印刷部１２および印刷システム１３を有するが、表印刷部１１と裏印刷部１２は実質的に同じ構成の印刷部が表面印刷用および裏面印刷用として設けられているものである。・・・表印刷部１１は、用紙搬送部１１０、印刷部２００、印刷イメージ記憶部２４０、インターフェイス部２５０、イメージ読み取り部４００、検査イメージ記憶部４６０、検査部５００、制御部６００、操作部６１０および不良印刷マーキング部６３０を有する。」（段落【００１５】）
　カ．「印刷部用紙搬送ユニット１１０−２の先頭付近の紙送りローラにはエンコーダ１１１が設けられており、このエンコーダ１１１からのパルスが印刷時のタイミングを生成する信号として表印刷部１１内の各部において用いられる。また、ロール紙供給部１４より供給された印刷用紙８００には、表印刷部１１に供給された直後に図示せぬキューマーク印刷部によりキューマークが印刷される。以後、後述する各ヘッドおよびカメラなどは、その近傍に設けられたキューマーク検出センサによりこのキューマークを検出し、印刷用紙８００上の副走査方向の位置決めを行う。・・・本実施の形態の用紙搬送部１１０は、３ｍ／ｓ程度で印刷用紙８００を搬送する。」（段落【００１７】）
　キ．「図５は、印刷部２００の構成を示すブロック図である。図６は、印刷用紙８００に対する印刷部２００のヘッドおよび後述するイメージ読み取り部４００のカメラの配置を示す図であり、（Ａ）は印刷部２００のヘッド２２０−１〜２２０−４の配置を示す図、（Ｂ）はイメージ読み取り部４００のカメラ４４０−１〜４４０−４の配置を示す図である。印刷部２００は、４個の印刷部２００−１〜２００−４を有する。各印刷部２００−ｉ（ｉ＝１〜４）には、制御部６００から制御信号が入力され、印刷イメージ記憶部２４０に記憶されているイメージデータが読み込まれる。また、前述した用紙搬送部１１０のエンコーダ１１１からの信号は、全ての印刷部２００−１〜２００−４に共通に入力される。」（段落【００１８】）
　ク．「各印刷部２００−ｉ（ｉ＝１〜４）は、印刷制御部２１０−ｉおよびヘッド２２０−ｉを有する。印刷制御部２１０は、制御部６００から入力される制御信号，および、用紙搬送部１１０のエンコーダ１１１から入力される信号に基づいて、搬送される印刷用紙８００に対するヘッド２２０の動作タイミングや、ヘッド２２０における後述するインク滴下速度を制御する。ヘッド２２０は、各々ドット密度が２４０ｄｐｉで印字幅Ｗｈが４インチのインクジェットヘッドであり、・・・本実施の形態においては、４個のヘッド２２０−１〜２２０−４が、図６（Ａ）に示すように、各ヘッドの印字ドットが連続するように配置されており、全体として１６インチ（４インチ×４個）の印字幅Ｗｐで印刷用紙８００に印字できるようになっている。」（段落【００１９】）
　ケ．「イメージ読み取り部４００は、印刷部２００により印刷された印字内容および印字品質をチェックするために、印刷されたイメージを読み込む。・・・イメージ読み取り部４００は、４個のイメージ読み取り部４００−１〜４００−４より構成される。各イメージ読み取り部４００−ｉ（ｉ＝１〜４）には、制御部６００から制御信号が入力される。また各イメージ読み取り部４００−ｉからは、読み込まれたイメージデータが検査イメージ記憶部４６０に出力される。」（段落【００２４】）
　コ．「各イメージ読み取り部４００−ｉ（ｉ＝１〜４）は、キューマーク検出センサ４１０−ｉ、エンコーダ部４２０−ｉ、光照射部４３０−ｉ、ＣＣＤカメラ４４０−ｉおよび制御部４５０−ｉを有する。キューマーク検出センサ４１０は、各イメージ読み取り部４００のＣＣＤカメラ４４０の近傍に設けられており、連続的に搬送されている印刷用紙８００の印刷物の区切りごとに記録されているキューマークを検出する。キューマークを検出したら、その旨の信号を制御部４５０に出力する。」（段落【００２５】）
　コ．「エンコーダ部４２０は、同じくイメージ読み取り部４００のＣＣＤカメラ４４０の近傍に設けられており、印刷用紙８００の搬送速度を検出する。エンコーダ部４２０は、図１０に示すように、エンコーダ４２１、カウンタ４２２および速度算出部４２３を有する。エンコーダ４２１は、たとえば用紙搬送部１１０の印刷用紙搬送ローラと一体的に回転し、回転角度に対応した所定のパルスを出力する。そのパルスをカウンタ４２２で計数し、速度算出部４２３において所定の時間内の前記計数値に基づいて、印刷用紙８００の搬送速度を算出する。」（段落【００２６】）
　サ．「ＣＣＤカメラ４４０は、ラインセンサ４４１・・・を有する。」（段落【００２８】）
　シ．「４個のラインセンサ４４１−１〜４４１−４を、図６（Ｂ）に示すようにその読み取り範囲を一部重複させて配置しており、全体としてヘッド２２０の印字幅Ｗｐの範囲を全て読み込めるようになっている。」（段落【００２９】）
　ス．「フォーマット情報記憶部５０７は、制御部６００を介して入力される印刷イメージデータの共通的なフォーマット情報を記憶する。この共通的なフォーマット情報とは、たとえば宛名情報の印刷領域、表の位置、マークの位置、文字の位置、その他の罫線の位置などのデータである。」（段落【００３８】）
　セ．「フォーマット情報記憶部５０７に記憶されている情報より印刷イメージデータ中のある程度の面積を有する空白領域の位置の情報を獲得し、検査イメージ記憶部４６０に記憶されている検査イメージデータの対応する場所が同様に空白領域になっているか否かをチェックする。その領域が適切に空白領域になっていれば次のチェックに移り、その領域からノイズ以上の黒画素が検出された場合にはチェックを終了して印刷結果が不良である旨の検査結果を制御部６００に出力する。」（段落【００４１】）
　ソ．「文字が印刷されているべき領域に文字が印刷されているかなどのチェックを行う。その他、表の有るべき位置に適切に表があるか、マークが適切にあるかなどのチェックも行う。これらの構造解析的な手法による検査イメージデータのチェックの段階では、検査により矛盾が検出された時点で直ちに印刷結果が不良である旨の検査結果を制御部６００に出力して、以後の処理を終了する。」（段落【００４２】）
　タ．「制御部６００は、印刷作業中であって、検査部５００より不良印刷を示す信号が入力された際には、不良印刷マーキング部６３０がその印刷物を無効にするような印刷を行うように、不良印刷マーキング部６３０を制御する。」（段落【００４４】）
　チ．「不良印刷マーキング部６３０は、検査部５００で印刷結果が不良印刷物であると判定された場合に、・・・図示せぬ印刷制御部を有し、制御部６００より入力される信号に基づいて、前記印刷制御部が各ヘッドを制御して所望のイメージを所望の位置に印刷する。」（段落【００４５】）
　ツ．「各ヘッドの印字領域内での正確な印字位置は、不良印刷マーキング部６３０内の前記印刷制御部により制御される。また、その印刷制御部は、前記各ヘッドに近傍に設けられている、図示せぬキューマーク検出センサ、および、エンコーダの出力に基づいて１つずつの印刷物の位置を検出し、副走査方向（用紙送り方向）の正確な印刷位置を決定する。」（段落【００４７】）
　テ．「両面印刷検査部１３は、表印刷部１１および裏印刷部１２で印刷用紙８００の表裏に印刷された印刷内容が、１枚の印刷物として適切に印刷が行われたか、たとえばページを単位としてそのページの表裏に印刷されるべき内容が適切に印刷されたかを検査する。両面印刷検査部１３は、図１３に示すように、表面カメラ１３１、表イメージメモリ１３２、表コード識別部１３３、裏面カメラ１３４、裏イメージメモリ１３５、裏コード識別部１３６、照合部１３７および不良印刷マーキング部１３８を有する。」（段落【００５０】）
　ト．「表面カメラ１３１および裏面カメラ１３４は、両面印刷検査部１３内を搬送される印刷用紙８００の各ぺージの表面および裏面より、その面の所定の位置に印刷されているその印刷内容を識別するコードのイメージを読み取る。・・・本実施の形態においては、表印刷部１１および裏印刷部１２の印刷部において各ページの右下に印刷されたバーコードを読み取る。」（段落【００５１】）
　ナ．「制御部５０は、印刷対象の印刷物の一覧を印刷対象の印刷物の管理番号で常に記憶しておき各印刷物の管理を行う。そして、表印刷部１１および裏印刷部１２で印刷が行われると、各印刷の検査結果が制御部５０に入力され、その印刷状態が適切か不適切か、また不適切な場合にはそのエラーコードなどが管理番号に対応づけられて記憶される。さらに、両面印刷検査部１３における印刷物の両面の印刷内容の整合性検査の結果も制御部５０に入力され、各管理番号ごとに記憶される。」（段落【００７８】）
　
（３）引用例１記載の発明
　引用例１の記載キにおいて、４個のヘッド全体が、連続紙の幅方向に一連のページ幅情報を印字するべくページ幅にわたって配置されていることは明らかである。
　引用例１の記載カにおいて、エンコーダからの信号とキューマーク検出出力は、プリント開始を制御することにも用いられている。
　これらの記載を含む引用例１の全記載及び図示によれば、引用例１には次の発明（以下「引用例発明」という。）が記載されているものと認められる。なお、引用例１では「制御部」との用語が、表印刷部（及び裏印刷部）における制御部（符番６００）、印刷物の管理を行う制御部（符番５０）等異なるものを意味するものとして用いられているため、以下の認定では前者を「制御部」、後者を「管理部」と表記することとする。
「インクジェットプリンタに対して移動する連続紙の表裏両面に、宛名情報の印刷領域、表の位置、マークの位置、文字の位置、その他の罫線の位置などをフォーマットとして定めた上で、表裏対応させて印刷を行うインクジェットプリントシステムにあっての印刷状態検査装置であって、
前記インクジェットプリントシステムは、表印刷部と裏印刷部と両面印刷検査部を含み、前記表印刷部と前記裏印刷部は同一構成となっており、
前記表印刷部は、用紙搬送部、印刷部、印刷イメージ記憶部、インターフェイス部、イメージ読み取り部、検査イメージ記憶部、検査部、制御部、及び不良印刷マーキング部を有し、
前記用紙搬送部の先頭付近の紙送りローラにはエンコーダが設けられており、このエンコーダからのパルスが印刷時のタイミングを生成する信号、及びインク滴下速度を制御する信号として表印刷部内の各部において用いられ、
前記印刷部は、前記連続紙の幅方向に一連のページ幅情報を印字するべくページ幅にわたって配置した４個のインクジェットプリントヘッドと、制御部から印刷イメージデータが入力され、ヘッドの動作タイミングやインク滴下速度を制御する印刷制御部と、連続紙上のキューマークを検出してキューマーク検出信号を出力するキューマーク検出センサを含み、前記エンコーダの出力信号とキューマーク検出手段の出力に応じてプリント開始を制御し、３ｍ／ｓ程度の速度で表裏両面印刷を処理可能としたものであり、
前記イメージ読み取り部は、４個のイメージ読み取り部より構成され、各イメージ読み取り部はラインセンサを有するＣＣＤカメラを含み、４個のラインセンサが印字幅の範囲を全て読み込めるように配置されており、
前記検査部は、ある程度の面積を有する空白領域の位置の情報を獲得し、同領域が空白領域になっているか否かをチェックし、その領域からノイズ以上の黒画素が検出された場合には印刷結果が不良である旨の検査結果を管理部に出力する機能と、文字が印刷されているべき領域に文字が印刷されているかなどのチェックし、印刷されていない場合には印刷結果が不良である旨の検査結果を管理部に出力する機能を有するものであり、これら印刷結果が不良である旨の検査結果を、キューマーク検出センサ及びエンコーダの出力に基づいて正確な位置に不良印刷マーキングを行い、
前記両面印刷検査部は、表面カメラ、表イメージメモリ、表コード識別部、裏面カメラ、裏イメージメモリ、裏コード識別部、照合部及び不良印刷マーキング部を含み、表面カメラ及び裏面カメラは、表印刷部及び裏印刷部の所定の位置に印刷されたバーコード等の印刷内容を識別するコードを読み取るものである印刷状態検査装置。」
　
（４）補正発明と引用例発明との一致点及び相違点の認定
　「印刷状態検査装置」と「印刷検証装置」は同義である。
　引用例発明において、インクジェットプリンタに対して連続紙が移動することは、補正発明における「インクジェットプリンタに対して相対的に移動する連続紙」の一態様である（というより、連続紙を固定してインクジェットプリンタを移動させることは想定しがたい。）。
　引用例発明において、「表裏両面に、宛名情報の印刷領域、表の位置、マークの位置、文字の位置、その他の罫線の位置などをフォーマットとして定めた」ことと、補正発明において「所望のレイアウトパターンに従った」ことは異ならない。
　引用例発明の「エンコーダ」と補正発明の「タコエンコーダ」は「エンコーダ」である点で一致する。引用例発明における、表印刷部及び裏印刷部からイメージ読み取り部、検査イメージ記憶部、検査部及び不良印刷マーキング部を除いたものは、補正発明でいう「インクジェットプリントユニット」に相当し、表印刷部と裏印刷部の「インクジェットプリントユニット」をあわせたものが補正発明の「インクジェットプリント手段」に相当する。引用例発明においても補正発明同様、「各プリントヘッドにプリント信号を供給するデーターシステム」に相当する構成を有し、「インクジェットプリントユニット毎に、前記タコエンコーダによって、連続紙の動きを監視し、該連続紙の動きに協働する速度信号をデーターシステムに出力し」ていると認められる。また、１つのインクジェットプリントユニットにおけるインクジェットプリントヘッドが複数であり、これら複数のインクジェットプリントヘッドを、連続紙の幅方向に一連のページ幅情報を印字するべくページ幅にわたって配置した点で、補正発明と引用例発明は一致する。
　補正明細書には、「連続紙ＣＰは、・・・平均２００ｍ／ｍｉｎ．（ＭＡＸ　２６０ｍ／ｍｉｎ．）の超高速走行が可能なようになっている。」（段落【００１５】）との記載があり、この速度は引用例発明の処理速度「３ｍ／ｓ」（＝１８０ｍ／ｍｉｎ）と同程度であるから、補正発明と引用例発明は、「情報量に応じた表裏両面印刷を超高速処理可能になし」た点で一致する。なお、「情報量に応じた」との文言は、印刷内容が情報量に応じて定まるという極当然のことを記述したにすぎない。仮に同文言が情報量の多寡に応じて印刷処理速度が異なるとの趣旨であるとすれば、この記載のみをもってしても新規事項追加になるばかりか、情報量と印刷速度の関係を如何にするか、当業者が実施可能なように明細書が記載されていないことになる。
　引用例発明の表印刷部及び裏印刷部における「検査部」並びに「管理部」は、補正発明の「第１の撮像検査手段」及び「第２の撮像検査手段」並びに「外部装置」に相当し、これらの機能においても、「ある程度の面積を有する空白領域の位置の情報を獲得し、同領域が空白領域になっているか否かをチェックし、その領域からノイズ以上の黒画素が検出された場合には印刷結果が不良である旨の検査結果を出力する機能と、文字が印刷されているべき領域に文字が印刷されているかなどのチェックし、印刷されていない場合には印刷結果が不良である旨の検査結果を出力する機能」と「連続紙の表面に予め設けた空白部を撮像して連続紙表面の印刷汚れを検出し、印刷汚れ不良信号を外部装置に出力する表面汚れ検出機能と、前記連続紙の表面の印刷部を撮像して連続紙表面の印刷抜けを検出し、印刷抜け不良信号を外部装置に出力する表面抜け検出機能」及び「連続紙の裏面に予め設けた空白部を撮像して連続紙裏面の印刷汚れを検出し、印刷汚れ不良信号を外部装置に出力する裏面汚れ検出機能と、前記連続紙の裏面の印刷部を撮像して連続紙裏面の印刷抜けを検出し、印刷抜け不良信号を外部装置に出力する裏面抜け検出機能」である点で差異はみられない。さらに、引用例発明において、「４個のイメージ読み取り部より構成され」及び「４個のラインセンサが印字幅の範囲を全て読み込めるように配置されて」いることは、補正発明において「第１の撮像検査手段が、前記連続紙表面側から、連続紙の幅方向の全域を撮像可能なように・・・配置した複数台の光学装置群からなり、第２の撮像検査手段が、前記連続紙裏面側から、連続紙の幅方向の全域を撮像可能なように・・・配置した複数台の光学装置群から」なることと異ならない。さらに引用例発明において、「印刷結果が不良である旨の検査結果を、キューマーク検出センサ及びエンコーダの出力に基づいて正確な位置に不良印刷マーキングを行」うことは、補正発明において「複数台の光学装置群からの信号群を統括中央処理装置を介して信号処理部において前記キューマーク検知手段およびエンコーダからの信号とによって信号処理」することと異ならない。
　引用例発明の「両面印刷検査部」は、連続紙の表面側および裏面側の印刷ズレを撮像して検査するものとして、補正発明の「第３の撮像検査手段」に相当し、その詳細構成においては、引用例発明の「表面カメラ」、「裏面カメラ」及び「バーコード等の印刷内容を識別するコード」が、補正発明の「第１の光学装置」、「第２の光学装置」及び「印字識別子」に相当し、引用例発明においても、読み取った信号（補正発明の「撮像信号」に相当する。）を当然出力するものである。なお、補正発明は、「印字識別子」について「予め設けた」としているが、補正明細書の「連続紙の表裏両面における印刷ズレを検出して不良箇所をチェックし、表裏情報の照合を確実にし得る」（段落【００４５】）との記載によるまでもなく、印刷に先立って設けたとの趣旨ではなく、第３の撮像検査手段による検査に先立って設けたとの趣旨に解すべきであり、その意味では引用例発明の「バーコード等の印刷内容を識別するコード」も「予め設けた」に該当する。
　
　したがって、補正発明と引用例発明とは、
「インクジェットプリンタに対して相対的に移動する連続紙の表裏両面に、表裏対応させてそれぞれ所望のレイアウトパターンに従った印刷を行うインクジェットプリントシステムにあって、
前記連続紙の幅方向に一連のページ幅情報を印字するべくページ幅にわたって配置した複数のインクジェットプリントヘッドと、エンコーダと、連続紙上のキューマークを検知してキューマーク検知信号を出力するキューマーク検知手段とを含み、連続紙の一方の面に印刷を施すべく配置したインクジェットプリントユニットと、連続紙の他方の面に印刷を施すべく配置したインクジェットプリントユニットとを含むインクジェットプリント手段と、各インクジェットプリントユニットにおける各プリントヘッドにプリント信号を供給するデーターシステムとからなり、インクジェットプリントユニット毎に、前記エンコーダによって、連続紙の動きを監視し、該連続紙の動きに協働する速度信号をデーターシステムに出力し、前記キューマーク検知手段の出力に応じて各インクジェットプリントユニットのプリント開始を制御して、情報量に応じた表裏両面印刷を超高速処理可能になし、
前記連続紙の表面に予め設けた空白部を撮像して連続紙表面の印刷汚れを検出し、印刷汚れ不良信号を外部装置に出力する表面汚れ検出機能と、前記連続紙の表面の印刷部を撮像して連続紙表面の印刷抜けを検出し、印刷抜け不良信号を外部装置に出力する表面抜け検出機能とを含む第１の撮像検査手段と、
前記連続紙の裏面に予め設けた空白部を撮像して連続紙裏面の印刷汚れを検出し、印刷汚れ不良信号を外部装置に出力する裏面汚れ検出機能と、前記連続紙の裏面の印刷部を撮像して連続紙裏面の印刷抜けを検出し、印刷抜け不良信号を外部装置に出力する裏面抜け検出機能とを含む第２の撮像検査手段と、
前記連続紙の表面側および裏面側から該連続紙の表面側および裏面側の印刷ズレを撮像して検査するべく、前記連続紙の表面に予め設けた表印字識別子を撮像して撮像信号を出力する第１の光学装置と、前記連続紙の裏面に予め設けた裏印字識別子を撮像して撮像信号を出力する第２の光学装置とを含む第３の撮像検査手段とを備え、
第１の撮像検査手段が、前記連続紙表面側から、連続紙の幅方向の全域を撮像可能なように配置した複数台の光学装置群からなり、第２の撮像検査手段が、前記連続紙裏面側から、連続紙の幅方向の全域を撮像可能なように配置した複数台の光学装置群からなり、前記複数台の光学装置群からの信号群を統括中央処理装置を介して信号処理部において前記キューマーク検知手段およびエンコーダからの信号とによって信号処理してなることを特徴とするインクジェットプリントシステムにおける印刷検証装置。」である点で一致し、以下の各点で相違する。
　
〈相違点１〉補正発明が多色印刷を行うものであり、連続紙の一方及び他方の面に印刷を施すべく配置したインクジェットプリントユニットがそれぞれ複数であるのに対し、引用例発明では連続紙の一方及び他方の面に印刷を施すべく配置したインクジェットプリントユニットがそれぞれ単数であり、多色印刷を行うものではない点。なお、補正発明の「Ｎ色」、「第Ｎ１〜第Ｎｎのインクジェットプリントユニット」、「Ｍ色」及び「第Ｍ１〜第Ｍｎ」との記載からは、これ以上の相違点は導けない。
〈相違点２〉各インクジェットプリントユニットにおけるインクジェットプリントヘッドについて、補正発明では「第１及び第２のインクジェットプリントヘッド・・・を含み」とあるのに対し、引用例発明では４つのインクジェットプリントヘッドが配置されている点。
〈相違点３〉「エンコーダ」について、補正発明が「タコエンコーダを備えたプラテンロール」、すなわち、「プラテンロール」に配置された「タコエンコーダ」としているのに対し、引用例発明では用紙搬送部の先頭付近の紙送りローラに設けたエンコーダである点。
〈相違点４〉第１及び第２の撮像検査手段における光学装置群の配置について、補正発明では「連続紙の幅方向に沿って配置した」のに対し、引用例発明では連続紙の幅方向の全域を撮像可能ではあるものの、幅方向に沿って配置していない点。
　
（５）相違点の判断及び進歩性の判断
〈相違点１〉について
　原査定の拒絶の理由に引用した特開平６−１１５０９８号公報（以下「引用例２」という。）には、「被記録材給送部４には被記録材５として長尺状ロールが収納され、この被記録材５は紙送ローラ対６でシアン画像記録部３ｃへと搬送される。シアン画像記録部３ｃでは、被記録材５は、第１の搬送ローラ対７ｃで支配されて搬送され、さらにこの第１の搬送ローラ対７ｃの直下流のシアン画像記録手段８ｃ（インクジェット記録ヘッド）による記録位置と、テンションローラ９ｃと、テンションローラ９ｃの直下流にあるシアン画像修正記録部１０ｃを通り、第２の搬送ローラ対１１ｃで挟持搬送されて、次に同様に構成されたマゼンタ、イエロー、ブラック各色の画像記録部３ｍ、３ｙ、３ｂｋに順次移送されて、所望のフルカラー画像が形成された後、被記録材巻取部４に巻き取られて回収される。」（段落【００２０】）との記載があり、同記載と【図１】図示によれば、これら複数の「画像記録手段」は、それぞれが「テンションローラ」及び「搬送ローラ対」を有するものであるから、引用例２では「インクジェット記録ヘッド」と表記されているけれども、補正発明にいう「インクジェットプリントユニット」に相当するものといえるから、引用例２にはインクジェットプリントユニットを複数設けることにより、長尺状ロール（補正発明の「連続紙」に相当。）に多色印刷を行う技術が記載されているといえる。
　そして、引用例発明では単色記録しか行っていないけれども、引用例１に例示されている「請求書などの顧客ごとの発送書類や、各々異なる番号の付された株券や各種金券」の中には、多色印刷が好ましいものがあることは自明である。
　そうであれば、引用例発明表印刷部及び裏印刷部に引用例２記載の技術を適用して、相違点１に係る補正発明の構成をなすことは当業者にとって容易といわざるを得ない。
　
〈相違点２〉について
　補正発明は、１つのインクジェットプリントユニットにおけるインクジェットプリントヘッド数を２と限定しているわけではないから、相違点２は実質的相違点には当たらない。仮に、１つのインクジェットプリントユニットにおけるインクジェットプリントヘッド数を２と限定する趣旨であるとしても、要はページ幅全体に印刷できればよく、ヘッド数をいくらにするかは、ページ幅の大きさと１つのインクジェットプリントヘッドの長さとの関係によって定まる設計的事項にすぎない。
　
〈相違点３〉について
　引用例発明はプラテンロールを有するか否かすら規定するものではないが、インクジェットプリント装置を含む印刷装置においては、用紙とプリントヘッドの位置関係を規定するためにプラテンロールを設けることが周知であり、その際エンコーダをプラテンロールに設けることも周知である（例えば、特開平３−５１１６２号公報又は特開昭６０−１２００７１号公報参照。）。
　また、補正発明の「タコエンコーダ」の詳細について、補正明細書には特段の説明がなく、その機能をみても搬送紙の位置と搬送速度を検出することが理解できるのみである。他方、引用例発明の「エンコーダ」も搬送紙の位置と搬送速度を検出することができるものである。そうすると、「エンコーダ」の種類について補正発明と引用例発明に実質的相違があるということはできない。なお、通常の「エンコーダ」によって速度を得るためには、単位時間当たりの移動量を得るためのタイマー等の機構を必要とし、補正発明の「タコエンコーダ」が同機構を不要とする趣旨かもしれないが、たとえそうだとしてもそのような「タコエンコーダ」も周知である（例えば特開昭６２−１９１７１６号公報参照。）から、独立特許要件の有無を左右する理由にはならない。
　そうすると、相違点３に係る補正発明の構成は、単に引用例発明に周知技術を適用したという程度のものであり、当業者には想到容易である。
　
〈相違点４〉について
　引用例発明の実施例では印字幅は１６インチ、すなわち約４０ｃｍであるから、各イメージ読み取り部は、幅方向に約１０ｃｍ程度ずつ離隔して配置されることとなる。そして、引用例発明実施例の配置は、【図６】（Ｂ）に見られるとおり、用紙搬送方向にも離隔して配置したものであるが、そのことに何らかの技術的意義があるわけではなく、印字幅範囲を全て読み込む１つの可能な配置を示したにすぎないというべきである。そして、１つのイメージ読み取り部の幅が、幅方向離隔量（実施例では約１０ｃｍ）よりも大きいのであれば、４つのイメージ読み取り部を幅方向に沿って配置することに困難性があり得るが、実施例の幅方向離隔量よりも小さなイメージ読み取り部を得ることに困難性があるとは到底いえない。
　そうであれば、相違点４に係る補正発明の構成も引用例発明実施例構成も、印字幅範囲を全て読み込むに際しての、ありふれた配置形態をそれぞれ示したという程度のものであり、相違点４に係る補正発明において採用される配置形態を、引用例発明において採用することが当業者にとって想到容易であることは明らかである。
　
　以上のとおり、相違点１〜相違点４に係る補正発明の構成をなすことは、当業者にとって容易であり、それら相違点に係る構成を採用したことによる格別の作用効果を認めることもできない。
　したがって、補正発明は引用例発明、引用例２記載の技術及び周知技術に基づいて当業者が容易に発明できたものであり、特許法２９条２項の規定より、特許出願の際独立して特許を受けることができないものであるから、本件補正は、同法１７条の２第３項５号で準用する同法１２６条４項の規定に違反する。
　
３．補正の却下の決定のむすび
　以上のとおりであるから、特許法１５９条１項で読み替えて準用する同法５３条１項の規定により、補正の却下の決定の結論のとおり決定する。
　
第３　本件審判請求についての当審の判断
１．本願発明の認定
　平成１３年７月６日付けの手続補正は却下されたので、本願の請求項１に係る発明は、平成１２年７月２４日付け手続補正書の【請求項１】に記載された事項により特定される発明（以下「本願発明」という。）であって、それは第２　２．理由２に記載したとおりである。
　
２．本願発明と引用例発明との一致点及び相違点の認定・判断
　第２で述べたことから、本願発明と引用例発明とは、
「インクジェットプリンタに対して相対的に移動する連続紙の表裏両面に、表裏対応させてそれぞれ所望のレイアウトパターンに従った印刷を行うインクジェットプリントシステムにあって、
前記連続紙の表面に予め設けた空白部を撮像して連続紙表面の印刷汚れを検出し、印刷汚れ不良信号を外部装置に出力する表面汚れ検出機能と、前記連続紙の表面の印刷部を撮像して連続紙表面の印刷抜けを検出し、印刷抜け不良信号を外部装置に出力する表面抜け検出機能とを含む第１の撮像検査手段と、
前記連続紙の裏面に予め設けた空白部を撮像して連続紙裏面の印刷汚れを検出し、印刷汚れ不良信号を外部装置に出力する裏面汚れ検出機能と、前記連続紙の裏面の印刷部を撮像して連続紙裏面の印刷抜けを検出し、印刷抜け不良信号を外部装置に出力する裏面抜け検出機能とを含む第２の撮像検査手段と、
前記連続紙の表面側および裏面側から該連続紙の表面側および裏面側の印刷ズレを撮像して検査するべく、前記連続紙の表面に予め設けた表印字識別子を撮像して撮像信号を出力する第１の光学装置と、前記連続紙の裏面に予め設けた裏印字識別子を撮像して撮像信号を出力する第２の光学装置とを含む第３の撮像検査手段とからなり、
第１の撮像検査手段が、前記連続紙表面側から、連続紙の幅方向の全域を撮像可能なように配置した複数台の光学装置群からなり、第２の撮像検査手段が、前記連続紙裏面側から、連続紙の幅方向の全域を撮像可能なように配置した複数台の光学装置群からなるインクジェットプリントシステムにおける印刷検証装置。」である点で一致し、本願発明が「多色印刷」を行い得るのに対し、引用例発明はそうでない点（以下〈相違点１’〉という。）、及び第２で述べた〈相違点４〉でのみ相違する（「補正発明」を「本願発明」と読み替える。以下同様。）。
　〈相違点１’〉に係る本願発明の構成をなすことが、引用例発明に引用例２記載の技術を適用することにより当業者にとって容易であることは、〈相違点１〉について第２で述べたと同様である。
　〈相違点４〉に係る本願発明の構成をなすことが当業者にとって容易であることは第２で述べたとおりである。
　〈相違点１’〉及び〈相違点４〉に係る本願発明の構成をなすことによる格別の作用効果を認めることができないことは、第２で述べたと同様である。
　したがって、本願発明は、引用例発明及び引用例２記載の技術に基づいて当業者が容易に発明できたものであるから、特許法２９条２項の規定により特許を受けることができない。
　
第４　むすび
　本願発明が特許を受けることができないから、本願の【請求項２】に係る発明について検討するまでもなく、本願は拒絶を免れない。
　よって結論のとおり審決する。